(57)【要約】【課題】ページ順序に沿って文書画像の各ページの書き込みを行っているときに、その文書画像のページに関連する関連画像の書き込みを行う。【解決手段】書込装置は、画像の書き込みが指示されて、タグ読取部によって表示装置の記憶する情報が読み取られた場合に、検知部によって書込面に表示装置が配置されたことが検知されたときには、複数のページによって構成される文書画像のうち最後に書き込まれたページの次ページを表す文書画像データを取得する一方、タグ読取部によって表示装置の情報が読み取られた場合に、検知部によって表示装置が検知されないときには、当該表示装置に書き込まれた文書画像のページに関連する関連画像を表す関連画像データを取得する。そして、書込装置は、取得した画像データに応じた画像を書込面に配置された表示装置に書き込む。【選択図】図１
2010218158.tif 000002
【特許請求の範囲】
【請求項１】
書込面に表示装置が配置されたことを検知する検知手段と、
画像の書き込みが指示されると、表示装置が記憶する情報を読み取る読取手段と、
画像データに応じた画像を前記書込面に配置された表示装置に書き込む書込手段と、
前記読取手段によって表示装置の記憶する情報が読み取られた場合に、前記検知手段によって前記書込面に表示装置が配置されたことが検知されたときには、複数のページによって構成される文書画像のうち前記書込手段によって最後に書き込まれたページの次ページを表す画像データを取得し、
前記読取手段によって表示装置の情報が読み取られた場合に、前記検知手段によって表示装置が検知されないときには、前記書込手段によって当該表示装置に書き込まれた文書画像のページに関連する関連画像を表す画像データを取得する取得手段と、
前記取得手段によって画像データが取得されると、当該画像データに応じた画像を書き込むよう前記書込手段を制御する書込制御手段と
を備えることを特徴とする書込装置。
【請求項２】
前記取得手段は、前記関連画像を表す画像データを取得した後に、前記読取手段によって再び表示装置の情報が読み取られた場合には、当該関連画像の書き込みが行われる前に前記書込手段によって最後に書き込まれた文書画像のページの次ページを表す画像データを取得する
ことを特徴とする請求項１に記載の書込装置。
【請求項３】
前記取得手段は、前記関連画像が複数のページによって構成されている場合には、前記読取手段によって表示装置の情報が読み取られる度に、当該関連画像の各ページを表す画像データを１つずつ取得し、
当該関連画像の全ページを表す画像データを取得した後に、前記読取手段によって再び表示装置の情報が読み取られた場合には、当該関連画像の書き込みが行われる前に前記書込手段によって最後に書き込まれた文書画像のページの次ページを表す画像データを取得する
ことを特徴とする請求項１又は２に記載の書込装置。
【請求項４】
前記取得手段は、前記読取手段によって表示装置の情報が読み取られた場合に、前記検知手段によって表示装置が検知されないときには、前記書込手段によって最後に書き込まれた文書画像のページに関連する関連画像を表す画像データと、当該関連画像の書込条件とを取得し、
前記書込制御手段は、前記取得手段によって取得された書込条件に従って前記画像を書き込むよう前記書込手段を制御する
ことを特徴とする請求項１から３のいずれか１項に記載の書込装置。
【請求項５】
前記取得手段は、前記読取手段によって表示装置の情報が読み取られた場合に、前記検知手段によって表示装置が検知されないときには、前記書込手段によって最後に書き込まれた文書画像のページに関連する関連画像を表す画像データと、当該関連画像の属性情報とを取得し、
前記書込制御手段は、前記取得手段によって取得された画像データに応じた画像及び属性情報を書き込むよう前記書込手段を制御する
ことを特徴とする請求項１から４のいずれか１項に記載の書込装置。
【請求項６】
前記表示装置に書き込む文書画像の指定を受け付ける指定受付手段を備え、
前記取得手段は、前記読取手段によって表示装置の記憶する情報が読み取られた場合に、前記検知手段によって前記書込面に表示装置が配置されたことが検知されると、前記指定受付手段が指定を受け付けた文書画像の書き込みが前記書込手段によって行われていなければ、当該文書画像の最初のページを表す画像データを取得する
ことを特徴とする請求項１から５のいずれか１項に記載の書込装置。
【請求項７】
データ記憶装置と書込装置とを備え、
前記データ記憶装置は、
複数のページによって構成される文書画像を表す画像データと、関連画像を表す画像データとを記憶する記憶手段と、
前記書込装置から次ページの画像データを要求された場合には、当該書込装置によって最後に書き込まれた文書画像のうちページの次ページを表す画像データを前記記憶手段から読み出して、当該書込装置に送信し、
前記書込装置から関連画像を表す画像データが要求された場合には、当該書込装置によって情報が読み取られた表示装置に書き込まれた文書画像のページに関連する関連画像を表す画像データを前記記憶手段から読み出して、当該書込装置に送信する送信手段とを備え、
前記書込装置は、
書込面に表示装置が配置されたことを検知する検知手段と、
画像の書き込みが指示されると、表示装置が記憶する情報を読み取る読取手段と、
画像データに応じた画像を前記書込面に配置された表示装置に書き込む書込手段と、
前記読取手段によって表示装置の記憶する情報が読み取られた場合に、前記検知手段によって前記書込面に表示装置が配置されたことが検知されたときには、次ページの画像データを前記データ記憶装置に要求し、
前記読取手段によって表示装置の情報が読み取られた場合に、前記検知手段によって表示装置が検知されないときには、関連画像を表す画像データを前記データ記憶装置に要求する画像データ要求手段と、
前記画像データ要求手段の要求に応じて前記データ記憶装置の前記送信手段から送信されてきた画像データを取得する取得手段と、
前記取得手段によって画像データが取得されると、当該画像データに応じた画像を書き込むよう前記書込手段を制御する書込制御手段とを備える
ことを特徴とする書込システム。
【発明の詳細な説明】
【技術分野】
【０００１】
本発明は、書込装置及び書込システムに関する。
【背景技術】
【０００２】
対象画像と関連する画像を表示する技術が知られている。例えば、特許文献１には、写真プリントを収納する収納部と表示部とを有するブック型のアルバムにおいて、収納部に収納された写真プリントの裏面に貼付されたＩＣタグから関連情報を読み出し、表示部に表示させる技術が開示されている。また、特許文献２には、ページをめくる操作が行われたときに、視認面に表示されているページの前又は後ろのページをその操作によって新たに視認面となる面に書き込む技術が開示されている。
【先行技術文献】
【特許文献】
【０００３】
【特許文献１】特開２００３−３４６０８６号公報
【特許文献２】特開２００４−２１３５５８号公報
【発明の概要】
【発明が解決しようとする課題】
【０００４】
本発明は、ページ順序に沿って文書画像の各ページの書き込みを行っているときに、その文書画像のページに関連する関連画像の書き込みを行うことを目的とする。
【課題を解決するための手段】
【０００５】
本発明の請求項１に係る書込装置は、書込面に表示装置が配置されたことを検知する検知手段と、画像の書き込みが指示されると、表示装置が記憶する情報を読み取る読取手段と、画像データに応じた画像を前記書込面に配置された表示装置に書き込む書込手段と、前記読取手段によって表示装置の記憶する情報が読み取られた場合に、前記検知手段によって前記書込面に表示装置が配置されたことが検知されたときには、複数のページによって構成される文書画像のうち前記書込手段によって最後に書き込まれたページの次ページを表す画像データを取得し、前記読取手段によって表示装置の情報が読み取られた場合に、前記検知手段によって表示装置が検知されないときには、前記書込手段によって当該表示装置に書き込まれた文書画像のページに関連する関連画像を表す画像データを取得する取得手段と、前記取得手段によって画像データが取得されると、当該画像データに応じた画像を書き込むよう前記書込手段を制御する書込制御手段とを備えることを特徴とする。
【０００６】
本発明の請求項２に係る書込装置は、請求項１に記載の構成において、前記取得手段は、前記関連画像を表す画像データを取得した後に、前記読取手段によって再び表示装置の情報が読み取られた場合には、当該関連画像の書き込みが行われる前に前記書込手段によって最後に書き込まれた文書画像のページの次ページを表す画像データを取得することを特徴とする。
【０００７】
本発明の請求項３に係る書込装置は、請求項１又は２に記載の構成において、前記取得手段は、前記関連画像が複数のページによって構成されている場合には、前記読取手段によって表示装置の情報が読み取られる度に、当該関連画像の各ページを表す画像データを１つずつ取得し、当該関連画像の全ページを表す画像データを取得した後に、前記読取手段によって再び表示装置の情報が読み取られた場合には、当該関連画像の書き込みが行われる前に前記書込手段によって最後に書き込まれた文書画像のページの次ページを表す画像データを取得することを特徴とする。
【０００８】
本発明の請求項４に係る書込装置は、請求項１から３のいずれか１項に記載の構成において、前記取得手段は、前記読取手段によって表示装置の情報が読み取られた場合に、前記検知手段によって表示装置が検知されないときには、前記書込手段によって最後に書き込まれた文書画像のページに関連する関連画像を表す画像データと、当該関連画像の書込条件とを取得し、前記書込制御手段は、前記取得手段によって取得された書込条件に従って前記画像を書き込むよう前記書込手段を制御することを特徴とする。
【０００９】
本発明の請求項５に係る書込装置は、請求項１から４のいずれか１項に記載の構成において、前記取得手段は、前記読取手段によって表示装置の情報が読み取られた場合に、前記検知手段によって表示装置が検知されないときには、前記書込手段によって最後に書き込まれた文書画像のページに関連する関連画像を表す画像データと、当該関連画像の属性情報とを取得し、前記書込制御手段は、前記取得手段によって取得された画像データに応じた画像及び属性情報を書き込むよう前記書込手段を制御することを特徴とする。
【００１０】
本発明の請求項６に係る書込装置は、請求項１から５のいずれか１項に記載の構成において、前記表示装置に書き込む文書画像の指定を受け付ける指定受付手段を備え、前記取得手段は、前記読取手段によって表示装置の記憶する情報が読み取られた場合に、前記検知手段によって前記書込面に表示装置が配置されたことが検知されると、前記指定受付手段が指定を受け付けた文書画像の書き込みが前記書込手段によって行われていなければ、当該文書画像の最初のページを表す画像データを取得することを特徴とする。
【００１１】
本発明の請求項７に係る書込システムは、データ記憶装置と書込装置とを備え、前記データ記憶装置は、複数のページによって構成される文書画像を表す画像データと、関連画像を表す画像データとを記憶する記憶手段と、前記書込装置から次ページの画像データを要求された場合には、当該書込装置によって最後に書き込まれた文書画像のうちページの次ページを表す画像データを前記記憶手段から読み出して、当該書込装置に送信し、前記書込装置から関連画像を表す画像データが要求された場合には、当該書込装置によって情報が読み取られた表示装置に書き込まれた文書画像のページに関連する関連画像を表す画像データを前記記憶手段から読み出して、当該書込装置に送信する送信手段とを備え、前記書込装置は、書込面に表示装置が配置されたことを検知する検知手段と、画像の書き込みが指示されると、表示装置が記憶する情報を読み取る読取手段と、画像データに応じた画像を前記書込面に配置された表示装置に書き込む書込手段と、前記読取手段によって表示装置の記憶する情報が読み取られた場合に、前記検知手段によって前記書込面に表示装置が配置されたことが検知されたときには、次ページの画像データを前記データ記憶装置に要求し、前記読取手段によって表示装置の情報が読み取られた場合に、前記検知手段によって表示装置が検知されないときには、関連画像を表す画像データを前記データ記憶装置に要求する画像データ要求手段と、前記画像データ要求手段の要求に応じて前記データ記憶装置の前記送信手段から送信されてきた画像データを取得する取得手段と、前記取得手段によって画像データが取得されると、当該画像データに応じた画像を書き込むよう前記書込手段を制御する書込制御手段とを備えることを特徴とする。
【発明の効果】
【００１２】
請求項１に係る発明によれば、ページ順序に沿って文書画像の各ページの書き込みを行っているときに、その文書画像のページに関連する関連画像の書き込みを行うことができる。
請求項２に係る発明によれば、関連画像の書き込みを行った後に、再びページ順序に沿って文書画像の次のページの書き込みを行うことができる。
請求項３に係る発明によれば、関連画像の全ページの書き込みを行った後に、再びページ順序に沿って文書画像の次のページの書き込みを行うことができる。
請求項４に係る発明によれば、関連画像をその書込条件に従って書き込むことができる。
請求項５に係る発明によれば、関連画像とその属性情報とを書き込むことができる。
請求項６に係る発明によれば、指定された文書画像を書き込むことができる。
請求項７に係る発明によれば、ページ順序に沿って文書画像の各ページの書き込みを行っているときに、その文書画像のページに関連する関連画像の書き込みを行うことができる。
【図面の簡単な説明】
【００１３】
【図１】実施形態に係る書込システムの構成を示す図である。
【図２】上記書込システムの端末装置の構成を示すブロック図である。
【図３】上記書込システムのサーバ装置の構成を示すブロック図である。
【図４】上記サーバ装置が記憶する表示管理テーブルの一例を示す図である。
【図５】上記サーバ装置が記憶する書込設定テーブルの一例を示す図である。
【図６】上記書込システムの書込装置の構成を示すブロック図である。
【図７】上記書込システムの表示装置の構成を示す図である。
【図８】上記書込システムの書込処理を示す図である。
【図９】上記表示装置にて表示される画像を示す図である。
【図１０】変形例に係る表示装置に書き込まれる属性情報の一例を示す図である。
【図１１】変形例に係るサーバ装置が記憶する設定テーブルの一例を示す図である。
【発明を実施するための形態】
【００１４】
［構成］
図１は、本実施形態に係る書込システム１の構成を示す図である。同図に示すように、書込システム１は、端末装置１０と、サーバ装置２０と、書込装置３０と、複数の表示装置４０とを備えている。書込装置３０と端末装置１０、書込装置３０とサーバ装置２０とは、それぞれ通信回線Ｎを介して接続されている。
【００１５】
（端末装置の構成）
まず、端末装置１０の構成について説明する。端末装置１０は、表示装置４０に新規の文書画像を表示させるときに、操作者が文書画像を指定するのに使用される。図２は、端末装置１０の構成を示すブロック図である。同図に示すように、端末装置１０は、ＣＰＵ（Central Processing Unit）１１と、メモリ１２と、通信部１３と、記憶部１４と、操作部１５と、表示部１６とを備えている。ＣＰＵ１１は、メモリ１２又は記憶部１４に記憶されているプログラムを実行して各種の処理を行う。メモリ１２は、例えばＲＯＭ（Read Only Memory）とＲＡＭ（Random Access Memory）などを備えており、ＣＰＵ１１によって実行されるプログラムやデータなどを記憶している。通信部１３は、通信回線Ｎを介して接続された書込装置３０との通信を確立し、データの送受信を行う。記憶部１４は、例えばハードディスクであり、ＣＰＵ１１によって実行されるプログラムや各種データを記憶している。操作部１５は、例えばキーボードとマウスであり、操作者の操作を受け付けて、その操作に応じた操作信号をＣＰＵ１１に入力する。表示部１６は、例えば液晶ディスプレイであり、ＣＰＵ１１の制御に応じた画像を表示する。
【００１６】
（サーバ装置の構成）
次に、サーバ装置２０の構成について説明する。サーバ装置２０は、本発明のデータ記憶装置の一例であり、複数の画像データを記憶している。そして、サーバ装置２０は、この画像データを書込装置３０に送信する機能を有する。図３は、サーバ装置２０の構成を示すブロック図である。同図に示すように、サーバ装置２０は、ＣＰＵ２１と、メモリ２２と、通信部２３と、記憶部２４とを備えている。ＣＰＵ２１は、メモリ２２又は記憶部２４に記憶されているプログラムを実行して各種の処理を行う。メモリ２２は、例えばＲＯＭとＲＡＭなどを備えており、ＣＰＵ２１によって実行されるプログラムやデータなどを記憶している。通信部２３は、通信回線Ｎを介して接続された書込装置３０との通信を確立し、データの送受信を行う。記憶部２４は、本発明の記憶手段の一例である。この記憶部２４は、例えばハードディスクであり、ＣＰＵ２１によって実行されるプログラムの他に、画像データ群，表示管理テーブルＴａ，書込設定テーブルＴｂなどを記憶している。この画像データ群には、複数のページによって構成される文書画像を表す文書画像データと、文書画像の或るページに関連する関連画像を表す関連画像データとが含まれている。なお、ここでいう「文書画像」とは、複数ページによって構成される画像のことであり、文字だけで構成される画像だけではなく、図形やイラストによって構成される画像をも含むものである。
【００１７】
ここで、表示管理テーブルＴａについて説明する。表示管理テーブルＴａは、表示装置４０に書き込まれた画像を管理するためのテーブルである。図４は、表示管理テーブルＴａの一例を示す図である。同図に示すように、表示管理テーブルＴａでは、「表示装置ＩＤ」と、「画像ＩＤ」と、「ページＩＤ」と、「フラグ」とが対応付けられている。「表示装置ＩＤ」は、各々の表示装置４０を識別する情報である。「画像ＩＤ」は、記憶部２４に記憶されている各々の文書画像データを識別する情報である。「ページＩＤ」は、文書画像を構成する各ページを識別する情報である。図中の「＿１」〜「＿４」は、それぞれ１〜４ページを表している。例えば、この表示管理テーブルＴａでは、表示装置ＩＤ「ＥＰ００１」と、画像ＩＤ「Ａ１２３」と、ページＩＤ「＿１」とが対応付けられている。これは、表示装置ＩＤ「ＥＰ００１」の表示装置４０には、画像ＩＤ「Ａ１２３」の文書画像の１ページ目が書き込まれたことを表している。「フラグ」は、表示装置４０に書き込まれる画像の起点を示す情報である。図中の「１」は、フラグがオンであることを示し、「０」は、フラグがオフであることを示す。
【００１８】
次に、書込設定テーブルＴｂについて説明する。書込設定テーブルＴｂは、各画像の書込条件と、文書画像のページと関連画像との対応関係とを管理するためのテーブルである。図５は、書込設定テーブルＴｂの一例を示す図である。同図に示すように、書込設定テーブルＴｂでは、「画像ＩＤ」と、「ページＩＤ」と、「設定情報」と、「関連画像の画像ＩＤ」と、「関連画像の設定情報」とが対応付けられている。「画像ＩＤ」及び「ページＩＤ」は、上述した表示管理テーブルＴａと同様の情報である。「設定情報」は、文書画像の書込条件を示す情報である。例えば、図中の「出力枚数：１」は、文書画像のページを１画面で書き込むことを表している。「関連画像の画像ＩＤ」は、記憶部２４に記憶されている各々の関連画像データを識別する情報である。「関連画像の設定情報」は、関連画像の書込条件を示す情報である。
【００１９】
（書込装置の構成）
次に、書込装置３０の構成について説明する。書込装置３０は、図１に示す書込面Ｒに配置された表示装置４０に対して、画像を書き込む機能を有する。図６は、書込装置３０の構成を示すブロック図である。同図に示すように、書込装置３０は、制御部３１と、通信部３２と、タグ読取部３３と、検知部３４と、書込部３５と、書込指示ボタン３６とを備えている。制御部３１は、メモリ３１０を有しており、書込装置３０の各部を制御する。通信部３２は、通信回線Ｎを介して接続された端末装置１０，サーバ装置２０との通信を確立し、データの送受信を行う。タグ読取部３３は、本発明の読取手段の一例である。このタグ読取部３３は、例えばＩＣタグリーダであり、ＲＦＩＤ（Radio Frequency Identification）によって、表示装置４０に記憶されている情報を読み取る。検知部３４は、本発明の検知手段の一例である。この検知部３４は、例えば光センサーであり、上述した書込面Ｒに表示装置４０が配置されたことを検知する。書込部３５は、本発明の書込手段の一例である。この書込部３５は、書込面Ｒに配置されている表示装置４０を駆動し、画像データに応じた光を照射して画像を書き込む。書込指示ボタン３６は、画像の書き込みを指示する操作を受け付けて、その操作に応じた操作信号を制御部３１に入力する。
【００２０】
（表示装置の構成）
次に、表示装置４０の構成について説明する。表示装置４０は、光書き込み型の電子ペーパであり、書込装置３０によって書き込まれた画像を表示する機能を有する。図７は、表示装置４０の構成を示す図である。同図に示すように、表示装置４０は、表示面４１と、無線タグ４２とを備えている。表示面４１は、書込装置３０によって書き込まれた画像を表示する。この表示面４１は、表示の記憶性を有しており、書込装置３０によって画像が書き込まれると、電力が供給されなくてもその画像の表示を維持することができる。無線タグ４２は、例えばＩＣタグであり、書込装置３０のタグ読取部３３に無線で情報を送信する。この無線タグ４２は、情報を記憶するメモリ４２０を備えている。このメモリ４２０には、各表示装置４０に割り当てられた表示装置ＩＤが記憶されている。この表示装置ＩＤは、各々の表示装置４０を識別する識別情報として用いられる。
【００２１】
［動作］
次に、本実施形態に係る書込システム１の動作について説明する。図８は、書込システム１にて行われる書込処理を示す図である。まず、操作者は、端末装置１０の操作部１５を操作して、表示装置４０に表示させる文書画像を指定する。文書画像を指定する操作が行われると、指定された文書画像の画像ＩＤがＣＰＵ１１に入力される。つまり、ＣＰＵ１１は、本発明の指定受付手段の一例であり、表示装置４０に表示させる文書画像の指定を受け付ける。画像ＩＤが入力されると、ＣＰＵ１１は、これを通信部１３によって書込装置３０に送信する。端末装置１０から画像ＩＤが送信されてくると、書込装置３０の制御部３１は、これを受信して、メモリ３１０に記憶させる（ステップＳ１１）。
【００２２】
次に、操作者は、書込装置３０の書込指示ボタン３６を押下して、画像の書き込みを指示する。このとき、操作者は、文書画像をページ順序に沿って表示させたいときには、表示装置４０を書込装置３０の書込面Ｒに配置してから、書込指示ボタン３６を押下する。一方、操作者は、表示装置４０に表示されている文書画像のページに関連する関連画像を表示させたいときには、その表示装置４０を書込装置３０の書込面Ｒに配置せずに、表示装置４０の無線タグ４２を書込装置３０のタグ読取部３３に近づけた状態で、書込指示ボタン３６を押下する。書込指示ボタン３６が押下されると、制御部３１に書込指示が入力される。書込指示が入力されると、制御部３１は、タグ読取部３３によって、表示装置４０のメモリ４２０に記憶されている表示装置ＩＤを読み取る（ステップＳ１２）。
【００２３】
続いて、制御部３１は、表示装置４０に書き込む画像（以下、「書込画像」という）の種類を判別する（ステップＳ１３）。例えば、制御部３１は、上述したステップＳ１１にて画像ＩＤを受信した場合には、書込画像の種類として新規文書画像を判別する。また、制御部３１は、検知部３４によって書込面Ｒに表示装置４０が配置されていることが検知された場合には、書込画像の種類として文書画像の次ページを判別する。また、制御部３１は、検知部３４によって表示装置４０が検知されない場合には、書込画像の種類として関連画像を判別する。
【００２４】
このステップＳ１３にて、新規文書画像を判別した場合、制御部３１は、上述したステップＳ１２にて読み取った表示装置ＩＤと、メモリ３１０に記憶されている画像ＩＤとを、通信部３２によってサーバ装置２０に送信する（ステップＳ１４）。このようにして、制御部３１は、新規の文書画像を表す文書画像データを要求する。また、このステップＳ１３にて、文書画像の次ページを判別した場合、制御部３１は、上述したステップＳ１２にて読み取った表示装置ＩＤだけを通信部３２によってサーバ装置２０に送信する（ステップＳ１５）。このようにして、制御部３１は、次ページの文書画像データを要求する。つまり、制御部３１は、本発明の画像データ要求手段の一例であり、タグ読取部３３によって表示装置４０の記憶する情報が読み取られたときに、検知部３４によって書込面Ｒに表示装置４０が配置されたことが検知された場合には、文書画像の次ページを表す文書画像データを要求する。また、このステップＳ１３にて、関連画像を判別した場合、制御部３１は、上述したステップＳ１２にて読み取った表示装置ＩＤとフラグ更新情報とを、通信部３２によってサーバ装置２０に送信する（ステップＳ１６）。このようにして、制御部３１は、関連画像を表す関連画像データを要求する。つまり、制御部３１は、タグ読取部３３によって表示装置４０の情報が読み取られたときに、検知部３４によって表示装置４０が検知されない場合には、関連画像を表す関連画像データを要求する。
【００２５】
上述したステップＳ１４により、書込装置３０から表示装置ＩＤ及び画像ＩＤが送信されてきた場合、サーバ装置２０のＣＰＵ２１は、新規フラグをオンにしてから（ステップＳ１７）、ステップＳ１９に進む。具体的には、ＣＰＵ２１は、記憶部２４に記憶されている表示管理テーブルＴａに、送信されてきた表示装置ＩＤとフラグ「１」との組を追加する。また、上述したステップＳ１６により、書込装置３０から表示装置ＩＤ及びフラグ更新情報が送信されてきた場合、ＣＰＵ２１は、分岐フラグをオンにしてから（ステップＳ１８）、ステップＳ１９に進む。具体的には、ＣＰＵ２１は、記憶部２４に記憶されている表示管理テーブルＴａにおいて、送信されてきた表示装置ＩＤに対応付けられたフラグの値を「１」に変更する。なお、上述したステップＳ１５により、書込装置３０から表示装置ＩＤだけが送信されてきた場合には、そのままステップＳ１９に進む。
【００２６】
続いて、ＣＰＵ２１は、書込装置３０に送信する画像データを選択する（ステップＳ１９）。例えば、上述したステップＳ１７にて新規フラグがオンになった場合、ＣＰＵ２１は、書込装置３０から送信されてきた画像ＩＤの文書画像データの１ページ目を選択する。また、上述したステップＳ１５により、書込装置３０から表示装置ＩＤだけが送信されてきた場合、ＣＰＵ２１は、まず記憶部２４に記憶されている表示管理テーブルＴａを参照して、書込装置３０によって最後に書き込まれた文書画像のページを特定する。続いて、ＣＰＵ２１は、特定した文書画像のページの次ページを表す文書画像データを選択する。つまり、ＣＰＵ２１は、文書画像のうち書込装置３０によって最後に書き込まれたページの次ページを表す文書画像データを選択する。また、上述したステップＳ１８にて分岐フラグがオンになった場合、ＣＰＵ２１は、記憶部２４に記憶されている表示管理テーブルＴａ及び書込設定テーブルＴｂを参照して、関連画像データを選択する。具体的には、ＣＰＵ２１は、まず表示管理テーブルＴａを参照して、書込装置３０から送信されてきた表示装置ＩＤの表示装置４０に書き込まれた文書画像の画像ＩＤとページＩＤとを特定する。続いて、ＣＰＵ２１は、書込設定テーブルＴｂにおいて、その画像ＩＤ及びページＩＤに対応付けられた関連画像の画像ＩＤを特定する。そして、ＣＰＵ２１は、特定した関連画像の画像ＩＤの関連画像データを選択する。つまり、ＣＰＵ２１は、書込装置３０にて情報が読み取られた表示装置４０に書き込まれた文書画像のページに関連する関連画像を表す画像データを選択する。なお、書込設定テーブルＴｂにおいて、上述にて特定した関連画像の画像ＩＤに対応付けられた設定情報の出力枚数が複数である場合、ＣＰＵ２１は、この関連画像の画像ＩＤの関連画像データの１ページ目を選択する。
【００２７】
続いて、ＣＰＵ２１は、選択した画像データを記憶部２４から読み出し、通信部２３によって書込装置３０に送信する（ステップＳ２０）。つまり、ＣＰＵ２１は、送信手段の一例であり、書込装置３０からの要求に応じた画像データを記憶部２４から読み出して、書込装置３０に送信する。このとき、ＣＰＵ２１は、画像データとともに、その画像データに対応する設定情報を送信する。具体的には、ＣＰＵ２１は、記憶部２４に記憶されている書込設定テーブルＴｂにおいて、送信する画像データを表す情報、すなわち画像ＩＤ及びページＩＤ、又は関連画像の画像ＩＤに対応付けられた設定情報を送信する。続いて、ＣＰＵ２１は、上述したステップＳ１９にて選択した画像データに基づいて、記憶部２４に記憶されている表示管理テーブルＴａを更新する（ステップＳ２１）。具体的には、ＣＰＵ２１は、記憶部２４に記憶されている表示管理テーブルＴａに、書込装置３０から送信されてきた表示装置ＩＤと、送信した画像データを表す情報との組を追加する。
【００２８】
サーバ装置２０から画像データ及び設定情報が送信されてくると、書込装置３０の制御部３１は、通信部３２によってこれを受信する（ステップＳ２２）。つまり、制御部３１は、取得手段の一例であり、サーバ装置２０から送信されてきた画像データを取得する。続いて、制御部３１は、書込部３５によって、受信した画像データ及び設定情報に応じた画像を書込面Ｒに配置された表示装置４０に書き込む（ステップＳ２３）。つまり、制御部３１は、書込制御手段の一例であり、取得した画像データに応じた画像を設定情報に従って書き込むよう書込部３５を制御する。これにより、書込面Ｒに配置された表示装置４０にて画像が表示される。
【００２９】
（新規文書画像の表示）
次に、新規文書画像の表示を行うときの書込処理の一例を説明する。ここでは、操作者が、端末装置１０の操作部１５を操作して、「Ａ１２３」という画像ＩＤの文書画像を指定するとともに、表示装置ＩＤ「ＥＰ００１」の表示装置４０を書込装置３０の書込面Ｒに配置してから、書込指示ボタン３６を押下した場合を想定する。この場合、上述したステップＳ１１にて、書込装置３０の制御部３１は、端末装置１０から送信されてきた画像ＩＤ「Ａ１２３」を受信する。また、上述したステップＳ１２にて、制御部３１は、表示装置４０のメモリ４２０から表示装置ＩＤ「ＥＰ００１」を読み取る。この場合、上述したステップＳ１３にて、制御部３１は、書込画像の種類として新規文書画像を判別し、ステップＳ１４にて、表示装置ＩＤ「ＥＰ００１」及び画像ＩＤ「Ａ１２３」をサーバ装置２０に送信する。
【００３０】
続いて、サーバ装置２０のＣＰＵ２１は、上述したステップＳ１７にて、図４に示すような表示管理テーブルＴａに、表示装置ＩＤ「ＥＰ００１」とフラグ「１」との組を追加してから、ステップＳ１９に進む。続いて、上述したステップＳ１９では、ＣＰＵ２１は、画像ＩＤ「Ａ１２３」の文書画像データの１ページ目を選択し、続くステップＳ２０にてこれを書込装置３０に送信する。このとき、ＣＰＵ２１は、図５に示した書込設定テーブルＴｂにおいて、画像ＩＤ「Ａ１２３」及びページＩＤ「＿１」に対応付けられた「出力枚数：１」という設定情報をこの文書画像データの１ページ目とともに送信する。続いて、上述したステップＳ２１では、ＣＰＵ２１は、図４に示すような表示管理テーブルＴａの表示装置ＩＤ「ＥＰ００１」に、画像ＩＤ「Ａ１２３」及びページＩＤ「＿１」を対応付ける。
【００３１】
続いて、上述したステップＳ２２では、書込装置３０の制御部３１は、サーバ装置２０から送信されてきた画像ＩＤ「Ａ１２３」の文書画像データの１ページ目及び設定情報「出力枚数：１」を受信する。そして、上述したステップＳ２３では、制御部３１は、書込部３５によって、画像ＩＤ「Ａ１２３」の文書画像の１ページ目を書込面Ｒに配置された表示装置４０に書き込む。図９は、表示装置４０にて表示される画像を示す図である。この書込処理により、表示装置ＩＤ「ＥＰ００１」の表示装置４０には、画像ＩＤ「Ａ１２３」の文書画像の１ページ目が表示される。
【００３２】
（ページめくり表示）
次に、ページめくり表示を行うときの書込処理の一例を説明する。ここでは、画像ＩＤ「Ａ１２３」の文書画像の１ページ目が書き込まれた後に、操作者が、表示装置ＩＤ「ＥＰ００２」の表示装置４０を書込装置３０の書込面Ｒに配置してから、書込指示ボタン３６を押下した場合を想定する。この場合、上述したステップＳ１２にて、制御部３１は、表示装置４０のメモリ４２０から表示装置ＩＤ「ＥＰ００２」を読み取る。このとき、上述したステップＳ１３にて、制御部３１は、書込画像の種類として文書画像の次ページを判別し、ステップＳ１５にて、表示装置ＩＤ「ＥＰ００２」をサーバ装置２０に送信する。
【００３３】
続いて、上述したステップＳ１９では、サーバ装置２０のＣＰＵ２１は、まず書込装置３０によって最後に書き込まれた文書画像のページとして、画像ＩＤ「Ａ１２３」の文書画像の１ページ目を特定する。続いて、ＣＰＵ２１は、この文書画像の２ページ目を表す文書画像データを選択し、続くステップＳ２０にてこれを書込装置３０に送信する。このとき、ＣＰＵ２１は、図５に示した書込設定テーブルＴｂにおいて、画像ＩＤ「Ａ１２３」及びページＩＤ「＿２」に対応付けられた「出力枚数：１」という設定情報をこの文書画像データの２ページ目とともに送信する。
【００３４】
続いて、上述したステップＳ２２では、書込装置３０の制御部３１は、サーバ装置２０から送信されてきた画像ＩＤ「Ａ１２３」の文書画像データの２ページ目及び設定情報「出力枚数：１」を受信する。そして、上述したステップＳ２３では、制御部３１は、書込部３５によって、画像ＩＤ「Ａ１２３」の文書画像の２ページ目を書込面Ｒに配置された表示装置４０に書き込む。この書込処理により、表示装置ＩＤ「ＥＰ００２」の表示装置４０には、画像ＩＤ「Ａ１２３」の文書画像の２ページ目が表示される。このようにして、図９に示したページめくり表示が実現される。
【００３５】
（分岐表示）
次に、分岐表示を行うときの書込処理の一例を説明する。上述のようにページめくり表示が行われることにより、画像ＩＤ「Ａ１２３」の文書画像が１ページ目からページ順序に従って書き込まれていく。ここで、図９に示すように、画像ＩＤ「Ａ１２３」の文書画像の４ページ目には、関連画像があることを示すリンクＬが含まれている。操作者は、このリンクＬを見ることにより、この文書画像の４ページ目には関連画像があることを把握する。ここでは、この文書画像の４ページ目が表示装置ＩＤ「ＥＰ００４」の表示装置４０に書き込まれており、操作者が、この表示装置４０を書込装置３０の書込面Ｒに配置せずに、表示装置４０の無線タグ４２を書込装置３０のタグ読取部３３に近づけた状態で、書込指示ボタン３６を押下した場合を想定する。この場合、上述したステップＳ１２にて、書込装置３０の制御部３１は、表示装置４０のメモリ４２０から表示装置ＩＤ「ＥＰ００４」を読み取る。このとき、上述したステップＳ１３にて、制御部３１は、書込画像の種類として関連画像を判別し、ステップＳ１６にて、表示装置ＩＤ「ＥＰ００４」とフラグ更新情報とをサーバ装置２０に送信する。なお、ステップＳ１２の処理の後、操作者は、関連画像を表示させる表示装置４０を書込装置３０の書込面Ｒに配置する。
【００３６】
続いて、サーバ装置２０のＣＰＵ２１は、上述したステップＳ１８にて、図４に示すような表示管理テーブルＴａの表示装置ＩＤ「ＥＰ００４」に対応付けられたフラグの値を「１」に変更してから、ステップＳ１９に進む。続いて、上述したステップＳ１９では、ＣＰＵ２１は、まず表示装置ＩＤ「ＥＰ００４」の表示装置に書き込まれた文書画像の画像ＩＤ及びページＩＤとして、画像ＩＤ「Ａ１２３」及びページＩＤ「＿４」を特定する。続いて、ＣＰＵ２１は、図５に示した書込設定テーブルＴｂにおいて、画像ＩＤ「Ａ１２３」及びページＩＤ「＿４」に対応付けられた「Ｂ４５６」という関連画像の画像ＩＤを特定する。ここで、図５に示した書込設定テーブルＴｂにおいては、関連画像の画像ＩＤ「Ｂ４５６」に「出力枚数：４」という設定情報が対応付けられている。この場合、ＣＰＵ２１は、特定した関連画像の画像ＩＤ「Ｂ４５６」の関連画像データの１ページ目を選択し、続くステップＳ２０にてこれを書込装置３０に送信する。また、このとき、ＣＰＵ２１は、図５に示した書込設定テーブルＴｂにおいて、関連画像の画像ＩＤ「Ｂ４５６」に対応付けられた「出力枚数：４」という設定情報をこの関連画像データの１ページ目とともに送信する。
【００３７】
続いて、上述したステップＳ２２では、書込装置３０の制御部３１は、サーバ装置２０から送信されてきた関連画像の画像ＩＤ「Ｂ４５６」の関連画像データの１ページ目及び設定情報「出力枚数：４」を受信する。そして、上述したステップＳ２３では、制御部３１は、書込部３５によって、関連画像の画像ＩＤ「Ｂ４５６」の関連画像の１ページ目を書込面Ｒに配置された表示装置４０に書き込む。この書込処理により、書込面Ｒに配置された表示装置４０には、関連画像の画像ＩＤ「Ｂ４５６」の関連画像の１ページ目が表示される。
【００３８】
そして、この場合、関連画像の全ページが書き込まれるまでは、サーバ装置２０の表示管理テーブルＴａにおいて表示装置ＩＤ「ＥＰ００４」に対応付けられたフラグがオフにならず、この書込処理が繰り返される。つまり、制御部３１は、タグ読取部３３によって表示装置４０の情報が読み取られる度に、関連画像を構成するページを表す関連画像データを１つずつ取得し、取得した関連画像データが表す関連画像のページを書込面Ｒに配置されている表示装置４０に書き込むよう書込部３５を制御する。これにより、図９に示す分岐表示が実現される。そして、関連画像の最後のページが書き込まれると、サーバ装置２０のＣＰＵ２１は、記憶部２４に記憶されている表示管理テーブルＴａにおいて表示装置ＩＤ「ＥＰ００４」に対応付けられたフラグの値を「０」に変更する。これにより、この後に、操作者によって上述したページめくり表示の場合と同様の操作が行われると、ページめくり表示に戻り、表示装置ＩＤ「ＥＰ００４」の表示装置４０に書き込まれた文書画像の次ページが書き込まれる。つまり、書込装置３０の制御部３１は、関連画像の全てのページを表す関連画像データを取得した後に、タグ読取部３３によって再び表示装置４０の表示装置ＩＤが読み取られたときには、当該関連画像の書き込みが行われる前に書込部３５によって最後に書き込まれた文書画像のページの次ページを表す文書画像データを取得し、取得した文書画像データが表す文書画像のページを書き込むよう書込部３５を制御する。
【００３９】
［変形例］
以上が実施形態の説明であるが、この実施形態の内容は以下のように変形し得る。また、以下の各変形例を適宜組み合わせてもよい。
（変形例１）
上述した実施形態では、文書画像のいずれのページも同様の表示態様で表示されていたが、関連画像があることを示すリンクＬを含むページについては表示態様を異ならせてもよい。表示態様を異ならせる方法としては、例えば表示色を変えたり、画面を縁取りしたりすることが考えられる。この場合、サーバ装置２０のＣＰＵ２１は、画像データとともに、表示態様を異ならせることを指示する設定情報を書込装置３０に送信する。これにより、リンクＬを含むページを把握しやすくなる。
【００４０】
（変形例２）
上述した実施形態では、関連画像を表す関連画像データが予めサーバ装置２０の記憶部２４に記憶されていたが、文書画像の複数のページをサムネイル画像にしたものを作成し、これを関連画像として使用してもよい。この場合、サーバ装置２０のＣＰＵ２１は、記憶部２４に記憶されている文書画像データに基づいて、文書画像の複数のページをサムネイル画像にして配置した画像を表す画像データを作成し、これを関連画像データとして書込装置３０に送信する。
【００４１】
（変形例３）
上述した実施形態では、書込設定テーブルＴｂの設定情報として「出力枚数」が記述されている例を挙げて説明したが、設定情報はこれに限らない。この設定情報は、画像の書き込むときの書込条件であればよく、例えば画像を拡大して書き込むことを指示するものや、画像を回転して書き込むことを指示するものであってもよい。
また、サーバ装置２０の記憶部２４には、設定情報のパターンがテンプレートとして記憶されていてもよい。この場合、書込設定テーブルＴｂには、上述した設定情報に代えてこのテンプレートを表す情報が記述される。ＣＰＵ２１は、画像データに対応するテンプレートを特定し、特定したテンプレートに応じた設定情報を画像データとともに書込装置３０に送信する。
また、各画像データに対応する設定情報が書込設定テーブルＴｂに予め記述されていなくてもよい。この場合、ＣＰＵ２１は、書込装置３０に送信する画像データの内容を解析し、解析した内容に応じた設定情報を選択して、画像データとともに書込装置３０に送信する。
【００４２】
（変形例４）
上述した実施形態において、サーバ装置２０のＣＰＵ２１は、表示装置４０の表示性能に応じて設定情報を変更してもよい。この場合、記憶部２４には、表示装置４０の表示装置ＩＤと、その表示装置４０の表示性能とが対応付けて記憶される。そして、ＣＰＵ２１は、書込装置３０から送信されてきた表示装置ＩＤに対応付けて記憶されている表示性能に基づいて、送信する設定情報を変更する。例えば、ＣＰＵ２１は、表示装置４０の画面サイズが小さい場合には、２ページ分の画像を１ページにまとめて書き込むことを示す「２ＵＰ」という設定情報を、２画面で書き込むことを示す「出力枚数：２」に変更する。また、ＣＰＵ２１は、表示装置４０の解像度が低い場合には、書込装置３０に送信する画像データの解像度を低くしてから、書込装置３０に送信してもよい。
【００４３】
（変形例５）
上述した実施形態では、表示装置４０には文書画像又は関連画像だけが書き込まれていたが、これに加えて属性情報が書き込まれてもよい。この属性情報としては、例えばファイル名、ページ情報、サムネイル画像などが考えられる。この場合、サーバ装置２０の記憶部２４には、各画像データの属性情報が記憶され、ＣＰＵ２１は、画像データとその属性情報とを送信する。書込装置３０の制御部３１は、サーバ装置２０から送信されてきた画像データに応じた画像と属性情報とを書込部３５によって表示装置４０に書き込む。図１０は、このときに書き込まれる属性情報の一例を示す図である。例えば、図１０（ａ）の例では、「提案書．ｔｘｔ」というファイル名と、「１／５」というページ情報とが書き込まれている。また、図１０（ｂ）の例では、画像を構成する全ページのサムネイル画像ｎが書き込まれている。
【００４４】
（変形例６）
上述した実施形態では、各画像データに対して設定情報が決められていたが、表示装置４０に対して設定情報が決められていてもよい。この場合、サーバ装置２０の記憶部２４には、図１１に示すような設定テーブルＴｃが記憶される。ＣＰＵ２１は、上述したステップ１７にて新規フラグがオンになると、この設定テーブルＴｃにおいて、そのときに書込装置３０から送信されてきた表示装置ＩＤと対応付けられた「ページめくり表示の設定情報」及び「分岐表示の設定情報」を特定する。例えば、新規フラグがオンになったときに、書込装置３０から表示装置ＩＤ「ＥＰ００１」が送信されてきた場合には、図１１に示した設定テーブルＴｃにおいて、表示装置ＩＤ「ＥＰ００１」と対応付けられたページめくり表示の設定情報「出力枚数：１」と、分岐表示の設定情報「出力枚数：２」とが特定される。そして、ＣＰＵ２１は、上述したページめくり表示を行うときには、設定情報として常に「出力枚数：１」を送信する。一方、ＣＰＵ２１は、上述した分岐表示を行うときには、設定情報として常に「出力枚数：２」を送信する。これにより、ページめくり表示のときには、文書画像のページが常に１画面で書き込まれ、分岐表示のときには、関連画像のページが常に２画面で書き込まれる。
【００４５】
（変形例７）
上述した実施形態では、ページめくり表示の途中で分岐表示が行われていたが、ページめくり表示を終えた後に分岐表示が行われてもよい。この場合、操作者は、表示装置４０を書込装置３０の書込面Ｒに配置した後に、書込指示ボタン３６を押下していくだけでよい。サーバ装置２０のＣＰＵ２１は、上述したページめくり表示が行われるように、文書画像データを最初のページから順番に書込装置３０に送信していく。そして、ＣＰＵ２１は、文書画像データの最後のページを書込装置３０に送信すると、記憶部２４に記憶されている書込設定テーブルＴｂにおいて、その文書画像データの画像ＩＤ及びページＩＤに関連画像の画像ＩＤが対応付けられているか否かを判定する。関連画像の画像ＩＤが対応付けられている場合、ＣＰＵ２１は、記憶部２４に記憶されている表示管理テーブルＴａにおいて、関連画像の画像ＩＤが対応付けられている画像ＩＤ及びページＩＤに対応付けられたフラグの値を「１」に変更し、上述した分岐表示が行われるように、関連画像データを書込装置３０に送信する。
【００４６】
（変形例８）
上述した実施形態において、端末装置１０のＣＰＵ１１は、入力された画像ＩＤを通信部１３によってサーバ装置２０に送信してもよい。この場合、サーバ装置２０のＣＰＵ２１は、端末装置１０から画像ＩＤを受信したときには、上述した新規フラグをオンにする処理を行った後、ステップＳ１９に進む。
また、書込装置３０が複数ある場合には、上述した表示管理テーブルＴａに書込装置ＩＤが記述されていてもよい。この場合、書込装置３０のメモリ３１０には、各々の書込装置３０に割り当てられた書込装置ＩＤが記憶されており、制御部３１は、表示装置ＩＤとともにこの書込装置ＩＤをサーバ装置２０に送信する。
【００４７】
（変形例９）
上述した端末装置１０は、例えばパーソナルコンピュータに適用されてもよいし、携帯電話機に適用されてもよい。
また、上述した実施形態では、表示装置４０が光書き込み型の電子ペーパである例を挙げて説明したが、これに限らない。例えば、表示装置４０が他の書き換え方式の電子ペーパであってもよいし、液晶ディスプレイであってもよい。また、書込装置３０は、使用される表示装置４０に応じた方式で画像の書き込みを行うものであればよい。
【００４８】
（変形例１０）
上述した実施形態では、書込システム１が端末装置１０、サーバ装置２０、書込装置３０及び表示装置４０によって構成されている例を挙げて説明したが、本発明の書込システムは、サーバ装置２０及び書込装置３０、又は、サーバ装置２０，書込装置３０及び端末装置１０として特定され得る。また、上述したサーバ装置２０が、端末装置１０と同等の構成及び機能を備えていてもよい。同様に、叙述した書込装置３０が、端末装置１０又はサーバ装置２０と同等の構成及び機能を備えていてもよい。
【００４９】
（変形例１１）
上述した実施形態において、端末装置１０，サーバ装置２０，書込装置３０にて行なわれる処理は、単一のハードウェア資源によって実現されてもよいし、複数のハードウェア資源の協働によって実現されてもよい。また、上述した書込装置３０の制御部３１によって行われる処理は、ハードウェア資源によって実現されてもよいし、ＣＰＵがプログラムを実行することにより実現されてもよい。さらに、端末装置１０のＣＰＵ１１，サーバ装置２０のＣＰＵ２１、書込装置３０のＣＰＵによって実行される処理は、単一のプログラムによって実現されてもよいし、複数のプログラムの組み合わせによって実現されてもよい。また、これらの各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、各プログラムを、インターネットなどの通信回線経由でダウンロードさせることも可能である。
【符号の説明】
【００５０】
１…書込システム、１０…端末装置、１１…ＣＰＵ、１２…メモリ、１３…通信部、１４…記憶部、１５…操作部、１６…表示部、２０…サーバ装置、２１…ＣＰＵ、２２…メモリ、２３…通信部、２４…記憶部、３０…書込装置、３１…制御部、３２…通信部、３３…タグ読取部、３４…検知部、３５…書込部、３６…書込指示ボタン、４０…表示装置、４１…表示面、４２…無線タグ。
【図１】
2010218158.tif 000003
【図２】
2010218158.tif 000004
【図３】
2010218158.tif 000005
【図４】
2010218158.tif 000006
【図５】
2010218158.tif 000007
【図６】
2010218158.tif 000008
【図７】
2010218158.tif 000009
【図８】
2010218158.tif 000010
【図９】
2010218158.tif 000011
【図１０】
2010218158.tif 000012
【図１１】
2010218158.tif 000013